(57)【要約】【課題】釣り操作時の握りの手の感触を快いものにし、ロック状態の安定化を図れるリールシートを提供する。【解決手段】可動フード５を相対向する固定フード６に向けて移動させる手段を、巻取り具７、その巻取り具７と前記可動フード５とに亘って設けてある巻取り紐状体８とで構成する。巻取り具７の回転を阻止する摩擦保持機構７Ｃを設け、シートベース４における固定フード存在側とは竿軸線を挟んで反対側の外周面に、巻取り具７を設けてある。【選択図】図１
2010011788.tif 000002
【特許請求の範囲】
【請求項１】
リール脚を保持する一対のフードのうち少なくとも一方を可動フードに構成するとともに、前記可動フードを相対向する相手側フードに向けて移動させる手段を設け、前記移動させる手段を、巻取り具、その巻取り具と前記可動フードとに亘って設けてある巻取り紐状体とで構成し、前記巻取り具の回転を阻止する機構を設けてあるリールシート。
【請求項２】
前記相手側フードを設けてあるシートベースにおける前記相手側フード存在側とは竿軸線を挟んで反対側の外周面に、前記巻取り具を設けてある請求項１記載のリールシート。
【請求項３】
請求項１又は２記載のリールシートを備えている釣り竿。
【発明の詳細な説明】
【技術分野】
【０００１】
本発明は、リール脚を保持する一対のフードのうち少なくとも一方を可動フードに構成するリールシートに関する。
【背景技術】
【０００２】
可動フードは、シートベースの両横側面にガイド溝（公報内番号：５ａ）を形成するとともに、シートベースにおけるリール脚載置面に可動フードのロック片を係止固定するラック溝を設けてある。
このような構成によって、可動フードの両端部をガイド溝に係合した状態で相手側フードに向けて近接移動させ、所望位置でロック片をラック溝に係合することによって、可動フードの相手側フードから離間する方向への移動が規制される（特許文献１参照）。
【０００３】
【特許文献１】特開２００６−２５６８５号公報（公報段落番号〔００２５〕、図２から図４）
【発明の開示】
【発明が解決しようとする課題】
【０００４】
一般に、釣り操作を行う場合には、リール脚載置面に載置したリール脚とシートベースを伴に握り込む。その場合に、握り込んだ手の掌等が可動フードに掛かることがあり、ロック片がその掌に接触することがあり、握り操作する手の感触が快いものではなかった。
しかも、可動フードのロック形態が、リール脚載置面の延長線上に刻設したラック溝にロック片を係合させることによって行っているので、ラック溝を刻設することで構造の複雑化を招来するとともに、ラック溝に対するロック片の係合状態がリールに掛かる負荷によって不安定になる虞もある。
【０００５】
本発明の目的は、釣り操作時の握りの手の感触を快いものにし、ロック状態の安定化を図れるリールシートを提供する点にある。
【課題を解決するための手段】
【０００６】
〔構成〕
請求項１に係る発明の特徴構成は、リール脚を保持する一対のフードのうち少なくとも一方を可動フードに構成するとともに、前記可動フードを相対向する相手側フードに向けて移動させる手段を設け、前記移動させる手段を、巻取り具、その巻取り具と前記可動フードとに亘って設けてある巻取り紐状体とで構成し、前記巻取り具の回転を阻止する機構を設けてある点にあり、その作用効果は次の通りである。
【０００７】
〔作用〕
リール脚に可動フードをあてがって、巻取り具によって巻取り紐状体を巻き取ると、可動フードがリール脚を内部空間内で被覆しながら押さえ保持し、リール脚を固定する。巻取り具が前記阻止する機構によって回転を阻止されているので、可動フードが緩み側に移動することは抑制されている。
【０００８】
〔効果〕
したがって、従来のように、可動フードにロック片を設ける必要はなく、かつ、巻取り具は可動フードと巻取り紐状体を介して繋がっているだけであるので、可動フードに設ける必要はない。それによって、リール脚載置面に載置したリール脚とシートベースを伴に握り込む場合であっても、手が当たる部分にロック片や巻取り具が存在してなく、握り心地がよい。
そして、ロック片と異なり、巻取り具で可動フードを引っ張り固定しているので、ロック状態が解除し難く、リールの締め付け状態が緩むことはない。
【０００９】
請求項２に係る発明の特徴構成は、請求項１に係る発明において、前記相手側フードを設けてあるシートベースにおける前記相手側フード存在側とは竿軸線を挟んで反対側の外周面に、前記巻取り具を設けてある点にあり、その作用効果は次の通りである。
【００１０】
〔作用効果〕
巻取り具をシートベースにおける前記相手側フード存在側とは竿軸線を挟んで反対側の外周面に設けてあるので、リール脚載置面に載置したリール脚とシートベースを伴に握り込む場合であっても、手が当たる部分に巻取り具は配置されていない。
これによって、巻取り具が邪魔にならず、釣り操作への影響を阻止できる。
しかも、可動フードは巻取り紐状体を介して巻取り具に繋がっているので、巻取り具を操作することによって、可動フードを移動させることができる。
【００１１】
請求項３に係る発明の特徴構成は、請求項１又は２記載のリールシートを備えている釣り竿である点にあり、その作用効果は次の通りである。
【００１２】
〔作用効果〕
上記したようなリールシートを備えることによって、釣り操作が行い易い釣り竿を提供できるに至った。
【発明を実施するための最良の形態】
【００１３】
釣り竿Ａは、図１に示すように、元竿２にリール脚３を保持するリールシート１を外嵌装着して構成されている。
元竿２は、基本的には、ガラス繊維かカーボン繊維等の強化繊維にエポキシ等の熱硬化性樹脂を含浸させて形成したプリプレグをマンドレルに巻回して筒状に形成した竿素材を焼成して形成されている。
【００１４】
リールシート１の構成について説明する。
リールシート１は、図１に示すように、ポリエチレン・テレフタレート（ＰＥＴ）やＡＢＳ樹脂等のエンジニアリング樹脂をインジェクションによって成型されている。リール脚３を載置するリール脚載置面ａを形成したシートベース４には、固定フード６が一体形成されており、リール脚載置面ａを挟んで固定フード存在側とは反対側に可動フード５が配置してある。
【００１５】
可動フード５の取付構造について説明する。図１及び図２に示すように、シートベース４の両横側面に、竿軸線に平行で元竿２の外周面に向けて凹入するガイド溝４ａを形成する。
一方、可動フード５は、断面が略チャンネル状を呈する懐空間（内部空間）を有しており、この懐空間内にリール脚を導入する構成を採っており、リール脚載置面ａに向かう下向き開口を有している。下向き開口の左右両開口縁５Ａには、互いに向き合う係合片５ａが形成されており、この係合片５ａが元竿２のガイド溝４ａに係合する。
係合片５ａをガイド溝４ａに係合させた状態で、可動フード５を竿軸線方向に沿って移動させることができる。
【００１６】
巻取り具７について説明する。巻取り具７は、スプール部７Ａとそのスプール部７Ａを回転自在に支持する軸部７Ｂとからなり、スプール部７Ａと軸部７Ｂとの接触部位には摩擦保持機構７Ｃを設けてある。この摩擦保持機構７Ｃによって、巻取り具の回転を阻止する機構を構成する。
巻取り具７は、固定フード存在側とは竿軸線を挟んで反対側の外周面のボス部に、軸部７Ｂを差し込み固定装着してある。
【００１７】
シートベース４の両横側面に、竿軸線に平行で元竿２の外周面に向けて凹入するガイド溝４ａを形成してあるが、このガイド溝４ａを延長して巻取り具７の近傍まで斜めに延出してある。
【００１８】
巻取り紐状体８の取付構造について説明する。図１及び図２に示すように、巻取り紐状体８としての巻取りワイヤの一端を、可動フード５の係合片５ａに取付固定するとともに、ガイド溝４ａ内に位置させて、巻取り具７まで他端を延出してある。
そして、その他端を巻取り具７のスプール部７Ａに巻き付けて、スプール部７Ａを摩擦保持機構７Ｃの摩擦保持力に抗して回転することによって、可動フード５を固定フード６に向けて移動させることができる。
可動フード５がリール脚３を押さえ保持した状態で、スプール部７Ａの回転を止めると、スプール部７Ａは摩擦保持機構７Ｃの摩擦保持力によって回転停止状態に切り換わり、可動フード５のリール脚３の保持状態を維持する。
【００１９】
〔別実施の形態〕
（１）  巻取り具７を設置する形態としては、次のような形態を採ってもよい。図３に示すように、巻取り具７の設置部位に環状壁４Ｂを巡らせて防護壁を形成し、その環状壁４Ｂの内部に巻取り具７を収納する。これによって、巻取り具７が環状壁４Ｂより表出することがなく、他物との干渉を回避し、巻取りワイヤ８等が風に煽られた場合にも、図１に示すように、元竿２の外周面に表出する状態で取り付ける場合に比べて、巻取り具７に巻き付くことを阻止しやすい。
図３及び図４に示すように、スプール部７Ａの側面に取付た摘み７ａを持ってスプール部７Ａを回転操作することができる。摘み７ａは折り畳み揺動自在に構成してあり、回転操作した後に摘み７ａを折り畳むことによって、環状壁４Ｂに形成された係合凹部４ｂに摘み７ａを係合させることができ、スプール部７Ａの戻り回転を阻止することができる。
【００２０】
（２）  前記した実施形態においては、巻取り具７の回転を阻止する機構として、スプール部７Ａと軸部７Ｂとの接続部位に摩擦保持機構７Ｃを設けた点について記載したが、スプール部７Ａを巻取り側に付勢する巻きバネ（図示せず）を設けてもよい。
【００２１】
（３）  リール脚３を保持するフードとして可動フード５と固定フード６の組み合わせについて記載したが、両方のフードを可動フード５に構成してもよい。この場合には、両方の可動フード５に対して巻取り具７を設けてよいが、両可動フード５に共通の単一の巻取り具７を設けてもよい。この場合の単一の巻取り具７の設置位置は、図示してはいないが、リール脚載置面ａとは竿軸線を挟んで反対側に設定される。
【００２２】
（４）  巻取り紐状体８としては、ワイヤ以外に釣り糸や釣り用ガイドを取り付けている取付用糸、或いは、細い革ベルト等が使用可能である。
【００２３】
（５）  巻取り紐状体８としては、可動フード５の左右側壁に形成した一方の係合片５ａのみに取付け、左右一方の単一ワイヤ等で移動操作を行ってよい。
【００２４】
（６）  巻取り具７としては、軸部７Ｂを縦向きにして大径で軸芯長の短いスプール部７Ｂを支持したものを提示したが、図５に示すように、軸部７Ｂを竿軸線と交差する左右向きに支持し、その軸部７Ｂに細い径で軸芯長の長いスプール部７Ａを支持する構造のものを設けてもよい。
この場合には、スプール部７Ａの左右中心近傍に、左右の巻取り紐状体８を巻き取るので、左右の巻取り紐状体８を均等の引っ張り力で巻き取ることができる。
【図面の簡単な説明】
【００２５】
【図１】リールシートに可動フードを相対向する相手側フードに向けて移動させる手段を施した状態を示す側面図
【図２】巻取り具の取付状態を示す縦断正面図
【図３】巻取り具の取付部の別実施形態を示す縦断側面図
【図４】巻取り具とその巻取り具の逆転を阻止する機構を示す底面図
【図５】巻取り具の軸部を左右向きにした状態を示す縦断正面図
【符号の説明】
【００２６】
１  リールシート
３  リール脚
４  シートベース
５  可動フード（フード）
６  固定フード（フード）
７  巻取り具
７Ｃ  摩擦保持機構（巻取り具の回転を阻止する機構）
８  巻取りワイヤ（巻取り紐状体）
ａ    リール脚載置面
【図１】
2010011788.tif 000003
【図２】
2010011788.tif 000004
【図３】
2010011788.tif 000005
【図４】
2010011788.tif 000006
【図５】
2010011788.tif 000007